(57)【要約】【課題】内臓脂肪と皮下脂肪との燃焼比を算出することができる体脂肪燃焼状態判定装置、方法、及びプログラムを提供する。【解決手段】体脂肪燃焼状態判定装置１０は、ユーザーから排出されるケトン体を測定した測定ケトン体濃度を取得し、取得された現在の前記測定ケトン体濃度、過去に測定された前記測定ケトン体濃度、及び前記ユーザーの現在の内臓脂肪量に基づいて、前記ユーザーの内臓脂肪と皮下脂肪との燃焼比を算出する。【選択図】図１
2015167575.tif 000002
【特許請求の範囲】
【請求項１】
ユーザーから排出されるケトン体を測定した測定ケトン体濃度を取得するケトン体濃度取得手段と、
前記ケトン体濃度取得手段により取得された現在の前記測定ケトン体濃度、過去に測定された前記測定ケトン体濃度、及び前記ユーザーの現在の内臓脂肪量に基づいて、前記ユーザーの内臓脂肪と皮下脂肪との燃焼比を算出する算出手段と、
を備えた体脂肪燃焼状態判定装置。
【請求項２】
前記燃焼比に基づいて、前記ユーザーの内臓脂肪及び皮下脂肪の何れが優位に燃焼しているかを示す情報を出力する出力手段
を備えた請求項１記載の体脂肪燃焼状態判定装置。
【請求項３】
前記算出手段は、現在の前記測定ケトン体濃度及び過去に測定された前記測定ケトン体濃度に基づいて前記ユーザーの内臓脂肪減少率を算出し、
前記出力手段は、前記ユーザーの内臓脂肪減少率を出力する
請求項２記載の体脂肪燃焼状態判定装置。
【請求項４】
前記算出手段は、現在の前記測定ケトン体濃度及び過去に測定された測定ケトン体濃度に基づいて前記ユーザーの内臓脂肪減少量を算出し、
前記出力手段は、前記ユーザーの内臓脂肪減少量を出力する
請求項２又は請求項３記載の体脂肪燃焼状態判定装置。
【請求項５】
前記算出手段は、前記ユーザーの過去の内臓脂肪量と前記ユーザーの内臓脂肪減少量とに基づいて現在の内臓脂肪量を算出し、算出した現在の内臓脂肪量に基づいて前記ユーザーの内臓脂肪と皮下脂肪との燃焼比を算出する
請求項２〜４の何れか１項に記載の体脂肪燃焼状態判定装置。
【請求項６】
前記算出手段は、前記内臓脂肪減少量と前記燃焼比とに基づいて前記ユーザーの皮下脂肪減少量を算出し、
前記出力手段は、前記ユーザーの皮下脂肪減少量を出力する
請求項５記載の体脂肪燃焼状態判定装置。
【請求項７】
前記ユーザーから排出されたケトン体を測定する測定手段
を備えた請求項１〜６の何れか１項に記載の体脂肪燃焼状態判定装置。
【請求項８】
前記ユーザーから排出されたケトン体は、前記ユーザーから排出された呼気に含まれるアセトンである
請求項１〜７の何れか１項に記載の体脂肪燃焼状態判定装置。
【請求項９】
ユーザーから排出されるケトン体を測定した測定ケトン体濃度を取得し、
取得された現在の前記測定ケトン体濃度、過去に測定された前記測定ケトン体濃度、及び前記ユーザーの現在の内臓脂肪量に基づいて、前記ユーザーの内臓脂肪と皮下脂肪との燃焼比を算出する
体脂肪燃焼状態判定方法。
【請求項１０】
コンピュータに、
ユーザーから排出されるケトン体を測定した測定ケトン体濃度を取得し、
取得された現在の前記測定ケトン体濃度、過去に測定された前記測定ケトン体濃度、及び前記ユーザーの現在の内臓脂肪量に基づいて、前記ユーザーの内臓脂肪と皮下脂肪との燃焼比を算出する
ことを含む処理を実行させるための体脂肪燃焼状態判定プログラム。
【発明の詳細な説明】
【技術分野】
【０００１】
本発明は、体脂肪燃焼状態判定装置、方法、及びプログラムに関する。
【背景技術】
【０００２】
健康的にダイエットするには、適切に体脂肪を減少させることが必要となるが、そのためには、体脂肪の燃焼状況を把握し、適切に運動及び食事を行うことが必要となる。
【０００３】
従来、呼気中のアセトンの濃度を測定することにより、体脂肪の燃焼状況を把握できることが知られており、例えば特許文献１には、アセトン検知センサで検出したアセトン濃度に基づいて計算した体脂肪の燃焼量を報知する技術が開示されている。
【先行技術文献】
【特許文献】
【０００４】
【特許文献１】特開２００１−３４９８８８号公報
【発明の概要】
【発明が解決しようとする課題】
【０００５】
しかしながら、体脂肪には内臓脂肪及び皮下脂肪があり、特許文献１記載の技術では、内臓脂肪と皮下脂肪との燃焼比を算出することはできない。
【０００６】
本発明は、内臓脂肪と皮下脂肪との燃焼比を算出することができる体脂肪燃焼状態判定装置、方法、及びプログラムを提供することを目的とする。
【課題を解決するための手段】
【０００７】
上記課題を解決するため、請求項１記載の発明の体脂肪燃焼状態判定装置は、ユーザーから排出されるケトン体を測定した測定ケトン体濃度を取得するケトン体濃度取得手段と、前記ケトン体濃度取得手段により取得された現在の前記測定ケトン体濃度、過去に測定された前記測定ケトン体濃度、及び前記ユーザーの現在の内臓脂肪量に基づいて、前記ユーザーの内臓脂肪と皮下脂肪との燃焼比を算出する算出手段と、を備える。
【０００８】
なお、請求項２に記載したように、前記燃焼比に基づいて、前記ユーザーの内臓脂肪及び皮下脂肪の何れが優位に燃焼しているかを示す情報を出力する出力手段を備えた構成としてもよい。
【０００９】
また、請求項３に記載したように、前記算出手段は、現在の前記測定ケトン体濃度及び過去に測定された前記測定ケトン体濃度に基づいて前記ユーザーの内臓脂肪減少率を算出し、前記出力手段は、前記ユーザーの内臓脂肪減少率を出力するようにしてもよい。
【００１０】
また、請求項４に記載したように、前記算出手段は、現在の前記測定ケトン体濃度及び過去に測定された前記測定ケトン体濃度に基づいて前記ユーザーの内臓脂肪減少量を算出し、前記出力手段は、前記ユーザーの内臓脂肪減少量を出力するようにしてもよい。
【００１１】
また、請求項５に記載したように、前記算出手段は、前記ユーザーの過去の内臓脂肪量と前記ユーザーの内臓脂肪減少量とに基づいて現在の内臓脂肪量を算出し、算出した現在の内臓脂肪量に基づいて前記ユーザーの内臓脂肪と皮下脂肪との燃焼比を算出するようにしてもよい。
【００１２】
また、請求項６に記載したように、前記算出手段は、前記内臓脂肪減少量と前記燃焼比とに基づいて前記ユーザーの皮下脂肪減少量を算出し、前記出力手段は、前記ユーザーの皮下脂肪減少量を出力するようにしてもよい。
【００１３】
また、請求項７に記載したように、前記ユーザーから排出されたケトン体を測定する測定手段を備えた構成としてもよい。
【００１４】
また、請求項８に記載したように、前記ユーザーから排出されたケトン体は、前記ユーザーから排出された呼気に含まれるアセトンであることが好ましい。
【００１５】
請求項９記載の体脂肪燃焼状態判定方法は、ユーザーから排出されるケトン体を測定した測定ケトン体濃度を取得し、取得された現在の前記測定ケトン体濃度、過去に測定された前記測定ケトン体濃度、及び前記ユーザーの現在の内臓脂肪量に基づいて、前記ユーザーの内臓脂肪と皮下脂肪との燃焼比を算出する。
【００１６】
請求項１０記載の体脂肪燃焼状態判定プログラムは、コンピュータに、ユーザーから排出されるケトン体を測定した測定ケトン体濃度を取得し、取得された現在の前記測定ケトン体濃度、過去に測定された前記測定ケトン体濃度、及び前記ユーザーの現在の内臓脂肪量に基づいて、前記ユーザーの内臓脂肪と皮下脂肪との燃焼比を算出することを含む処理を実行させるための体脂肪燃焼状態判定プログラムである。
【発明の効果】
【００１７】
本発明によれば、内臓脂肪と皮下脂肪との燃焼比を算出することができる、という効果を有する。
【図面の簡単な説明】
【００１８】
【図１】体脂肪燃焼状態判定装置の外観図である。
【図２】体脂肪燃焼状態判定装置のブロック図である。
【図３】体脂肪燃焼状態判定プログラムによる処理のフローチャートである。
【図４】累積呼気アセトン濃度と内臓脂肪面積の減少率との関係を表すグラフである。
【図５】測定結果の表示の一例を示す図である。
【図６】腹囲と内臓脂肪面積との関係を表すグラフである。
【図７】ＢＩＡ法で測定した内臓脂肪面積とＣＴで計測した内臓脂肪面積との関係を表すグラフである。
【図８】累積呼気アセトン濃度と内臓脂肪面積の減少量との関係を表すグラフである。
【図９】内臓脂肪と皮下脂肪の燃焼比と内臓脂肪面積との関係を表すグラフである。
【図１０】測定機器とパーソナルコンピュータを接続する形態のブロック図である。
【発明を実施するための形態】
【００１９】
以下、本発明の実施形態について説明する。
【００２０】
図１は、本実施形態に係る体脂肪燃焼状態判定装置１０の外観図である。図１に示すように、体脂肪燃焼状態判定装置１０は、測定部１２、表示部１４、及び操作部１６を備えている。本実施形態に係る体脂肪燃焼状態判定装置１０は、一例として持ち運びに便利な携帯型の装置である。
【００２１】
測定部１２は、ユーザーから排出されるケトン体の濃度（以下、ケトン体濃度という）を測定する。ここで、ケトン体とは、アセト酢酸、３−ヒドロキシ酪酸（β−ヒドロキシ酪酸、アセトンの総称であり、これらのうちの少なくとも一つを表す。
【００２２】
本実施形態では、測定部１２が、一例としてユーザーの呼気中のアセトンを検出するアセトン検出センサを備えた構成の場合について説明する。ユーザーは、吹き込み口１８に呼気を吹き込むことにより、呼気中のアセトン濃度を測定することができる。なお、吹き込み口１８は、呼気を収集しやすくするために、口で咥えることが可能なマウスピース型の形状としてもよいし、マスク型の形状としてもよい。
【００２３】
表示部１４は、例えば液晶パネル等で構成される。表示部１４には、例えば各種設定画面、測定部１２で測定されたアセトン濃度の測定結果、及び測定されたアセトン濃度に基づくアドバイス情報等の各種画面が表示される。また、表示部１４をタッチパネルの機能を備えた構成とし、画面に直接タッチすることで操作が可能な構成としてもよい。
【００２４】
操作部１６は、複数の操作ボタンを含んで構成されており、図１では一例として３個の操作ボタン１６Ａ〜１６Ｃを備えた場合を示した。
【００２５】
操作ボタン１６Ａは、一例として体脂肪燃焼状態判定装置１０の電源のオンオフ及び各種画面において決定の操作を行うためのボタンとして機能する。
【００２６】
操作ボタン１６Ｂは、一例として各種画面において情報を入力するためのボタンとして機能する。
【００２７】
操作ボタン１６Ｃは、一例として過去の測定結果等を読み出すことを指示するためのボタンとして機能する。
【００２８】
また、操作ボタン１６Ｂは、画面上のカーソルを下へ動かすためのボタンとしても機能し、操作ボタン１６Ｃは、画面上のカーソルを上へ動かすためのボタンとしても機能する。
【００２９】
図２には、体脂肪燃焼状態判定装置１０のブロック図を示した。図２に示すように、体脂肪燃焼状態判定装置１０は、コントローラ２０を備えている。コントローラ２０は、ＣＰＵ（Ｃｅｎｔｒａｌ  Ｐｒｏｃｅｓｓｉｎｇ  Ｕｎｉｔ）２０Ａ、ＲＯＭ（Ｒｅａｄ  Ｏｎｌｙ  Ｍｅｍｏｒｙ）２０Ｂ、ＲＡＭ（Ｒａｎｄｏｍ  Ａｃｃｅｓｓ  Ｍｅｍｏｒｙ）２０Ｃ、不揮発性メモリ２０Ｄ、及び入出力インターフェース（Ｉ／Ｏ）２０Ｅがバス２０Ｆを介して各々接続された構成となっている。この場合、後述する体脂肪燃焼状態判定処理をコントローラ２０のＣＰＵ２０Ａに実行させる体脂肪燃焼状態判定プログラムを、例えば不揮発性メモリ２０Ｄに書き込んでおき、これをＣＰＵ２０Ａが読み込んで実行する。なお、体脂肪燃焼状態判定プログラムは、ＣＤ−ＲＯＭ、メモリーカード等の記録媒体により提供するようにしてもよく、図示しないサーバからダウンロードするようにしてもよい。
【００３０】
Ｉ／Ｏ２０Ｅには、測定部１２、表示部１４、操作部１６、タイマ２２、及び通信部２４が接続されている。
【００３１】
タイマ２２は、現在時刻を取得する機能及び設定された時間を計時する計時機能を有する。
【００３２】
通信部２４は、例えば体組成計等の外部装置と無線通信又は有線通信により情報の送受信を行う。このため、体脂肪燃焼状態判定装置１０は、通信部２４を介して体組成計等の外部装置からユーザーの体組成情報、例えば内臓脂肪量を取得することができる。
【００３３】
次に、本実施形態の作用として、コントローラ２０のＣＰＵ２０Ａにおいて実行される体脂肪燃焼状態判定プログラムによる処理について、図３に示すフローチャートを参照して説明する。なお、図３に示す処理は、ユーザーが体脂肪燃焼状態判定装置１０の操作部１６を操作して、体脂肪燃焼状態判定プログラムの実行を指示した場合に実行される。
【００３４】
ステップＳ１００では、アセトン濃度の測定を行う。具体的には、まず、予め定めた時間（例えば１０秒）の経過後にアセトン濃度の測定を開始する旨のメッセージを表示部１４に表示すると共に、タイマ２２に対して予め定めた時間を計時するよう指示する。
【００３５】
そして、予め定めた時間が経過したことがタイマ２２から通知された場合には、吹き込み口１８から呼気を吹き込むよう指示する吹き込み開始メッセージを表示部１４に表示すると共に、測定部１２に対してアセトン濃度の測定を開始するよう指示する。ユーザーは、吹き込み開始メッセージが表示部１４に表示されると、呼気を吹き込み口１８に対して吹き込む。
【００３６】
測定部１２は、吹き込み口１８に吹き込まれた呼気のアセトン濃度を測定してコントローラ２０に出力する。また、測定したアセトン濃度は、タイマ２２から取得した現在日時と共に不揮発性メモリ２０Ｄに記憶する。
【００３７】
ステップＳ１０２では、ステップＳ１００で測定したアセトン濃度に基づいて内臓脂肪減少率を求めて表示部１４へ表示する。
【００３８】
脂質代謝の副産物であるアセトンのアセトン濃度は脂肪の燃焼量に相当すると考えられ、体内に糖質エネルギーが余っている場合には脂肪が燃焼されないためアセトン濃度は低くなり、体内に糖質エネルギーが足りなくなった場合には脂肪が燃焼されるためアセトン濃度は高くなる。このため、通常は、食事をして体内に糖質エネルギーが余っているとアセトン濃度は下降し始め、その後体内に糖質エネルギーが足りなくなるとアセトン濃度は上昇する。すなわち、アセトン濃度が高いほど脂質代謝が高いといえる。
【００３９】
また、人の体脂肪には内臓脂肪と皮下脂肪があり、内臓脂肪は比較的短期的に減ることが知られている。図４には、肥満の防止・解消のために取り組む多数の被験者に対して、アセトン濃度測定期間を１週間として毎日予め定めた時刻にアセトン濃度を測定してもらうと共に、アセトン濃度測定期間の開始前と終了後に内臓脂肪面積を測定してもらい、これらの測定結果に基づいて、測定したアセトン濃度の累積値（累積呼気アセトン濃度）と、内臓脂肪面積の減少率との関係を求めた結果を示した。
【００４０】
なお、内臓脂肪面積とは、例えば人体の腹部の断面における内臓脂肪の面積であり、内臓脂肪面積の減少率とは、アセトン濃度測定期間の開始前に測定した内臓脂肪面積に対するアセトン濃度測定期間の終了後に測定した内臓脂肪面積の減少率である。
【００４１】
図４に示す多数の菱形のマークは多数の被験者の測定値を表し、これらの測定値を回帰分析した結果が関係式ｆ１で表されている。なお、図４の例では、関係式は一次式として表しているが、二次式以上の多項式で表しても良い。なお、図６〜９の関係式も同様である。
【００４２】
このように、累積呼気アセトン濃度と内臓脂肪面積の減少率とには相関関係がある。従って、累積呼気アセトン濃度から図４に示す関係式ｆ１を用いて内臓脂肪面積の減少率を求めることができる。
【００４３】
このため、ステップＳ１０２では、不揮発性メモリ２０Ｄに記憶された過去の予め定めた期間の累積呼気アセトン濃度にステップＳ１００で測定したアセトン濃度を加算して累積呼気アセトン濃度を算出し、算出した累積呼気アセトン濃度に対応する内臓脂肪面積の減少率を図４に示す関係式ｆ１を用いて求める。そして、図５に示すように、ステップＳ１００で求めた現在のアセトン濃度、累積呼気アセトン濃度、アセトン濃度変化量（過去のアセトン濃度と現在のアセトン濃度との差分）、アセトン濃度変化率（過去のアセトン濃度と現在のアセトン濃度との比率）、及び内蔵脂肪面積の減少率（内臓脂肪減少率）を表示部１４に表示する。なお、累積呼気アセトン濃度を算出する期間は、上記では過去の予め定めた期間としたが、これに限らず、ユーザーが操作部１６を操作することにより任意の期間を設定できるようにしてもよい。
【００４４】
ステップＳ１０４では、過去に測定した内臓脂肪量の入力画面を表示部１４に表示させる。ユーザーは、この入力画面で過去に測定した内臓脂肪量、例えば上記の累積呼気アセトン濃度を算出する期間の開始時点において測定した内臓脂肪量を入力することができる。そして、ユーザーにより過去に測定した内臓脂肪量が入力された場合には、ステップＳ１０６へ移行し、過去に測定した内臓脂肪量が入力されなかった場合には、本ルーチンを終了する。
【００４５】
なお、本実施形態では、内臓脂肪量は、内臓脂肪面積である場合について説明する。また、入力する内臓脂肪量は、例えば実際にＣＴやＭＲＩで測定した内臓脂肪量でもよいし、体組成計でＢＩＡ（Bioelectrical Impedance Analysis）法により推定された内臓脂肪量でもよい。
【００４６】
また、図６に示すように、内臓脂肪面積、すなわち内臓脂肪量と腹囲とには関係式ｆ２に示すような相関関係がある。従って、内臓脂肪量に代えて腹囲を入力させるようにしてもよい。この場合は、入力された腹囲に対応する内臓脂肪面積を図６に示す関係式ｆ２を用いて算出し、算出した内臓脂肪面積を内臓脂肪量とすればよい。
【００４７】
また、図７に示すように、ＢＩＡ法により推定された内臓脂肪面積とＣＴで測定した内臓脂肪面積とには関係式ｆ３に示すような相関関係がある。従って、内臓脂肪量としてＢＩＡ法により推定された内臓脂肪面積が入力された場合には、入力されたＢＩＡ法により推定された内臓脂肪面積に対応する、ＣＴで計測された内臓脂肪面積を図７に示す関係式ｆ３を用いて算出し、算出した内臓脂肪面積を内臓脂肪量としてもよい。
【００４８】
ステップＳ１０６では、内臓脂肪減少量（内臓脂肪面積の減少量）を求める。そして、図５に示すように、求めた内臓脂肪減少量を表示部１４に表示する。
【００４９】
図８に示すように、累積呼気アセトン濃度と内臓脂肪面積の減少量とには相関関係がある。従って、累積呼気アセトン濃度から図８に示す関係式ｆ４を用いて内臓脂肪面積の減少量を求めることができる。
【００５０】
また、ステップＳ１０２で求めた内臓脂肪面積の減少率とステップＳ１０４で入力された内臓脂肪量とに基づいて内臓脂肪減少量を算出するようにしてもよい。
【００５１】
例えば内臓脂肪面積の減少率をＸ％、過去に測定した内臓脂肪量をＡとすると、内臓脂肪減少量Ｂは次式で算出することができる。
【００５２】
Ｂ＝Ａ×（Ｘ／１００）    ・・・（１）
【００５３】
ステップＳ１０８では、現在の内臓脂肪量を算出する。現在の内臓脂肪量Ｃは次式で算出することができる。
【００５４】
Ｃ＝Ａ＋Ｂ    ・・・（２）
【００５５】
ステップＳ１１０では、内臓脂肪と皮下脂肪との燃焼比を求める。そして、図５に示すように、求めた内臓脂肪と皮下脂肪との燃焼比を表示部１４に表示する。なお、燃焼比は、内臓脂肪をａ、皮下脂肪をｂとした場合に、図５に示すようにａ／ｂのように表示しても良いし、ａ：ｂのように表示しても良いし、（ａ／ｂ）×１００を算出して百分率（％）で表示してもよい。
【００５６】
図９に示すように、ＣＴで計測した内臓脂肪面積、すなわち内臓脂肪量と、内臓脂肪と皮下脂肪との燃焼比と、には相関関係がある。従って、ステップＳ１０８で算出した内臓脂肪量から図９に示す関係式ｆ５を用いて、内臓脂肪と皮下脂肪との燃焼比を求めることができる。
【００５７】
なお、ステップＳ１０６で求めた内臓脂肪減少量と、ステップＳ１１０で求めた内臓脂肪と皮下脂肪との燃焼比と、に基づいて、皮下脂肪減少量（皮下脂肪燃焼量）を算出し、図５に示すように、算出した皮下脂肪減少量を表示部１４に表示するようにしてもよい。
【００５８】
ステップＳ１１２では、ステップＳ１０８で算出した現在の内臓脂肪量が閾値ＴＨ以下であるか否かを判断し、現在の内臓脂肪量が閾値ＴＨ以下である場合はステップＳ１１４へ移行し、現在の内臓脂肪量が閾値ＴＨを越えている場合はステップＳ１１６へ移行する。
【００５９】
なお、閾値ＴＨは、図９に示すように、内臓脂肪と皮下脂肪との燃焼比が１：１の場合における内臓脂肪量（内臓脂肪面積）である。従って、現在の内臓脂肪量が閾値ＴＨ以下の場合は皮下脂肪が優位に燃焼しており、現在の内臓脂肪量が閾値ＴＨを越えている場合は、内臓脂肪が優位に燃焼していると判断できる。
【００６０】
そこで、ステップＳ１１４では、皮下脂肪が優位に燃焼している旨のメッセージを表示部１４に表示させ、ステップＳ１１６では、内臓脂肪が優位に燃焼している旨のメッセージを表示部１４に表示させる。
【００６１】
内臓脂肪は、生活習慣病の危険因子として深い関係があると言われているが、従来では、内臓脂肪量を計測するためには、ＣＴ等の放射線を用いた大掛かりな装置を使用しなければならなかった。
【００６２】
これに対し、本実施形態では、呼気中のアセトン濃度を計測することで容易に内臓脂肪量を把握することができると共に、内臓脂肪及び皮下脂肪の何れが優位に燃焼しているかを把握することができるため、ダイエットや運動に対するモチベーションを向上させることができる。
【００６３】
なお、本実施形態では、累積呼気アセトン濃度に基づいて内臓脂肪減少率や内臓脂肪減少量を求めているが、累積呼気アセトン濃度ではなく、アセトン濃度変化量（過去のアセトン濃度と現在のアセトン濃度との差分）又はアセトン濃度変化率（過去のアセトン濃度と現在のアセトン濃度との比率）に基づいて内臓脂肪減少率や内臓脂肪減少量を求めるようにしてもよい。
【００６４】
また、本実施形態では、体脂肪燃焼状態判定装置１０が携帯型の専用装置の場合について説明したが、例えば図１０に示すように、パーソナルコンピュータ８０に、測定部１２を含む測定機器８２を有線又は無線により接続する構成としてもよい。この場合、パーソナルコンピュータ８０は、測定機器８２により測定されたアセトン濃度を取得して図３に示す処理を実行することにより、体脂肪燃焼状態判定装置として機能する。
【００６５】
また、測定機器８２を接続する機器は、パーソナルコンピュータに限らず、携帯電話、スマートフォン、及びタブレット端末等の携帯端末でもよい。また、これらの携帯端末に測定部１２を内蔵した構成としてもよい。また、これらの携帯端末又は測定機器８２をサーバにネットワーク接続する構成としてもよい。この場合、サーバが体脂肪燃焼状態判定装置として機能する。すなわち、携帯端末又は測定機器８２は、測定したアセトン濃度をサーバに送信する。そして、サーバは、携帯端末又は測定機器８２から受信したアセトン濃度に基づいて図３に示す処理を実行し、結果を携帯端末又は測定機器８２に送信する。これにより、測定機器８２は、少なくともアセトン濃度を測定してサーバに送信する機能及びサーバから結果を受信して表示する機能を備えればよく、安価な構成とすることができる。
【００６６】
また、本実施形態では、測定部１２が、呼気中のアセトンを検出するアセトン検出センサを備えた構成の場合について説明したが、これに限らず、ユーザーの皮膚、尿、唾液、及び汗等から排出されたケトン体を検出するケトン体検出センサを備えた構成としてもよい。
【符号の説明】
【００６７】
１０   体脂肪燃焼状態判定装置
１２   測定部
１４   表示部
１６   操作部
１８   吹き込み口
２０   コントローラ
８０   パーソナルコンピュータ
８２   測定機器
【図１】
2015167575.tif 000003
【図２】
2015167575.tif 000004
【図３】
2015167575.tif 000005
【図４】
2015167575.tif 000006
【図５】
2015167575.tif 000007
【図６】
2015167575.tif 000008
【図７】
2015167575.tif 000009
【図８】
2015167575.tif 000010
【図９】
2015167575.tif 000011
【図１０】
2015167575.tif 000012